(57)【要約】【課題】簡単な構成により低コストでターンテーブル用モータを効果的に冷却できる加熱調理器を提供する。【解決手段】ケーシング１内に設けられた加熱室２と、加熱室２内の底部に配置されたターンテーブルと、加熱室２の下側かつケーシング１の下側に配置され、ターンテーブルを回転駆動するターンテーブル用モータ２３と、ケーシング１がビルトイン収納部１００に収納された状態において、ケーシング１の前面側から吸い込んだ空気を、ケーシング１の下面とビルトイン収納部１００の底面との間の空間を介してケーシング１内に供給するための冷却ファン３とを備える。【選択図】図２
2013096598.tif 000002
【特許請求の範囲】
【請求項１】
ビルトイン収納部に収納可能なケーシングと、
上記ケーシング内に設けられ、前面に開口部を有する加熱室と、
上記加熱室内の底部に配置されたターンテーブルと、
上記加熱室の下側かつ上記ケーシングの下側に配置され、上記ターンテーブルを回転駆動するターンテーブル用モータと、
上記ケーシングが上記ビルトイン収納部に収納された状態において、上記ケーシングの前面側から吸い込んだ空気を、上記ケーシングの下面と上記ビルトイン収納部の底面との間の空間を介して上記ケーシング内に供給するための冷却ファンと
を備えたことを特徴とする加熱調理器。
【請求項２】
請求項１に記載の加熱調理器において、
上記冷却ファンは、上記ケーシングの背面側に配置されており、上記ケーシングが上記ビルトイン収納部に収納された状態において、上記ケーシングの前面側から吸い込んだ空気を、上記ケーシングの下面と上記ビルトイン収納部の底面との間の空間と上記ケーシングの背面と上記ビルトイン収納部の背面との間の空間とを介して上記ケーシング内に供給することを特徴とする加熱調理器。
【請求項３】
請求項１または２に記載の加熱調理器において、
上記ケーシングの底部に上記ターンテーブル用モータを覆うように設けられ、上記ケーシングの前面側から吸い込んだ空気を上記ケーシングの後面側に案内するガイドカバーを備えたことを特徴とする加熱調理器。
【請求項４】
請求項１から３までのいずれか１つに記載の加熱調理器において、
上記冷却ファンによって上記ケーシング内に供給された空気は、上記ケーシング内を通って上記ケーシングの前面側に設けられた排気口から前方に吹き出すことを特徴とする加熱調理器。
【発明の詳細な説明】
【技術分野】
【０００１】
この発明は、加熱調理器に関し、詳しくは、加熱室内にターンテーブルを備えた加熱調理器に関する。
【背景技術】
【０００２】
従来、加熱調理器としては、ケーシング内に配置された加熱室を備え、加熱室内の底部にターンテーブルが配置されたものがある(例えば、特開２００１−４１４６２号公報(特許文献１)参照)。上記加熱調理器では、ケーシング内かつ加熱室の下側に配置されたターンテーブル用モータにより加熱室内のターンテーブルを回転駆動する。
【０００３】
上記加熱調理器では、加熱室からの熱を受けて、加熱室の底面とケーシングの底面との間に配置されたターンテーブル用モータの周囲温度が高くなるので、高温仕様のモータを用いたり、モータを冷却するためのダクトを追加したりする熱対策により、コストが高くつくという問題がある。
【先行技術文献】
【特許文献】
【０００４】
【特許文献１】特開２００１−４１４６２号公報
【発明の概要】
【発明が解決しようとする課題】
【０００５】
そこで、この発明の課題は、簡単な構成により低コストでターンテーブル用モータを効果的に冷却できる加熱調理器を提供することにある。
【課題を解決するための手段】
【０００６】
上記課題を解決するため、この発明の加熱調理器は、
ビルトイン収納部に収納可能なケーシングと、
上記ケーシング内に設けられ、前面に開口部を有する加熱室と、
上記加熱室内の底部に配置されたターンテーブルと、
上記加熱室の下側かつ上記ケーシングの下側に配置され、上記ターンテーブルを回転駆動するターンテーブル用モータと、
上記ケーシングが上記ビルトイン収納部に収納された状態において、上記ケーシングの前面側から吸い込んだ空気を、上記ケーシングの下面と上記ビルトイン収納部の底面との間の空間を介して上記ケーシング内に供給するための冷却ファンと
を備えたことを特徴とする。
【０００７】
ここで、ビルトイン収納部は、システムキッチンの天面の下側に設けられた前面が開口する収納用の凹部でもよいし、前面が開口する箱形の収納ボックスなどでもよい。
【０００８】
上記構成によれば、前面側に開口を有するビルトイン収納部内にケーシングが収納された状態において、冷却ファンによりケーシングの前面側から吸い込まれた空気の少なくとも一部は、ケーシングの下面とビルトイン収納部の底面との間の空間を介してケーシング内に供給される。このとき、冷却ファンにより吸い込まれた空気がケーシングの下面とビルトイン収納部の底面との間の空間を通過することにより、加熱室の下側かつケーシングの下側に配置されたターンテーブル用モータが冷却される。したがって、高温仕様のモータを用いたり冷却用のダクトを追加したりすることなく、簡単な構成により低コストでターンテーブル用モータを効果的に冷却できる。
【０００９】
また、一実施形態の加熱調理器では、
上記冷却ファンは、上記ケーシングの背面側に配置されており、上記ケーシングが上記ビルトイン収納部に収納された状態において、上記ケーシングの前面側から吸い込んだ空気を、上記ケーシングの下面と上記ビルトイン収納部の底面との間の空間と上記ケーシングの背面と上記ビルトイン収納部の背面との間の空間とを介して上記ケーシング内に供給する。
【００１０】
上記実施形態によれば、ケーシングがビルトイン収納部に収納された状態において、ケーシングの背面側に配置された冷却ファンによって、ケーシングの前面側から吸い込まれた空気の少なくとも一部は、ケーシングの下面とビルトイン収納部の底面との間の空間を介してケーシングの背面とビルトイン収納部の背面との間の空間に流れた後、ケーシングの背面側の冷却ファンにより吸い込まれてケーシング内に供給される。したがって、ケーシングとビルトイン収納部の壁面との間の空間を利用して、ターンテーブル用モータを冷却した後の空気が、ケーシング内に供給されて、ケーシング内の発熱部を冷却することができ、ターンテーブル用モータの冷却とケーシング内の発熱部の冷却の両方に冷却ファンを兼用できる。
【００１１】
また、一実施形態の加熱調理器では、
上記ケーシングの底部に上記ターンテーブル用モータを覆うように設けられ、上記ケーシングの前面側から吸い込んだ空気を上記ケーシングの後面側に案内するガイドカバーを備えた。
【００１２】
上記実施形態によれば、ケーシングの底部にターンテーブル用モータを覆うように設けられたガイドカバーによって、ターンテーブル用モータを保護すると共に、冷却ファンによりケーシングの前面側から吸い込まれた空気の一部をターンテーブル用モータの冷却に用いた後、ケーシングの後面側にスムーズに案内できる。
【００１３】
また、一実施形態の加熱調理器では、
上記冷却ファンによって上記ケーシング内に供給された空気は、上記ケーシング内を通って上記ケーシングの前面側に設けられた排気口から前方に吹き出す。
【００１４】
上記実施形態によれば、冷却ファンによってケーシング内に供給された空気は、ケーシング内を通ってケーシングの前面側に設けられた排気口から前方に吹き出すので、ビルトイン収納部に収納された状態でも、冷却ファンによる吸い込みから吹き出しまでの経路が形成されて、スムーズな空気の流れにより冷却効率が向上する。
【発明の効果】
【００１５】
以上より明らかなように、この発明の加熱調理器によれば、簡単な構成により低コストでターンテーブル用モータを効果的に冷却できる加熱調理器を実現することができる。
【図面の簡単な説明】
【００１６】
【図１】図１はこの発明の実施の一形態の加熱調理器の正面図である。
【図２】図２は上記加熱調理器の左側面図である。
【図３】図３は上記加熱調理器の上面図である。
【図４】図４は上記加熱調理器の要部の縦断面図である。
【図５】図５は従来の加熱調理器の要部の縦断面図である。
【発明を実施するための形態】
【００１７】
以下、この発明の加熱調理器を図示の実施の形態により詳細に説明する。
【００１８】
図１はこの発明の実施の一形態の加熱調理器の正面図を示している。
【００１９】
この実施の形態の加熱調理器は、図１に示すように、直方体形状の金属製のケーシング１と、このケーシング１内に設けられた開口部２aを有する加熱室２と、本体ケーシング１の前面パネル１０の下端側の辺を略中心に回動する扉６とを備えている。このケーシング１の底部に４つの脚部７を設けると共に、ケーシング１の底部の中央にガイドカバー２５を取り付けている。このガイドカバー２５の前面側に複数のスリット２５aを設ける一方、ガイドカバー２５の後面側にも同様の複数のスリット(図示せず)を設けている。
【００２０】
また、前面パネル１０かつ加熱室２の開口部２aの上側に、表示部と操作ボタン類を有する表示操作部１１を設けている。また、前面パネル１０には、加熱室２の開口部２aと表示操作部１１との間に、横方向に沿って１列に配列された複数のスリットからなる排気口１２を設けている。この排気口１２は、扉６を閉じたときに扉６により塞がれないようにしている。また、加熱室２内の底部に、回転自在に支持されたターンテーブル２０を配置している。
【００２１】
上記加熱調理器は、前面側に開口１００aを有するビルトイン収納部１００内に収納されている。
【００２２】
また、図２は上記加熱調理器の左側面図を示している。なお、図２では、ケーシング１の天板と側板を取り外した状態、かつ、扉６を開放した状態の加熱調理器を図示している。図２において、２３はターンテーブル用モータである。
【００２３】
図２に示すように、ケーシング１の背面側に冷却ファン３を配置している。この冷却ファン３により、矢印Ｒ１,Ｒ２で示すように、ケーシング１の前面側から吸い込まれた空気が、ケーシング１の下面とビルトイン収納部１００の底面との間の空間とケーシング１の背面とビルトイン収納部１００の背面との間の空間とを介してケーシング１内に供給される。
【００２４】
上記冷却ファン３から矢印Ｒ３の方向に向かってケーシング１内に吹き出した空気は、マグネトロン１３、高圧トランス１４および制御装置１５などの周辺を流れて、前面パネル１０の排気口１２からケーシング１外に出る。
【００２５】
また、上記加熱室２の上部の左側(扉６側から見たときの左)に配置された金属製または樹脂製のホルダ４と、このホルダ４に保持された基板５とを備えている。この基板５には、庫内を照らすためのランプなどを実装している。
【００２６】
上記扉６は、開閉操作のためのハンドル８を上部に有している。また、扉６の下部とケーシング１の底板１aの前部とをカム機構９で接続しており、扉６を閉めるときに、カム機構９の一部を成すバネ部材(図示せず)が扉６を閉方向に付勢するようになっている。
【００２７】
図３は上記加熱調理器の上面図を示している。図３では、ケーシング１の天板と側板を取り外した状態、かつ、扉６を閉めた状態の加熱調理器を上方から図示している。
【００２８】
上記ケーシング１の上部と加熱室２の上部との間の空間には、冷却ファン３からの吹出空気で冷却できるようにマグネトロン１３、高圧トランス１４および制御装置１５などを設置している。このマグネトロン１３で発生したマイクロ波は、導波管１８によって加熱室２の上部中央に導かれ、回転アンテナ(図示せず)によって攪拌されて、加熱室２の下部に向かって放射されることによって、加熱室２内の被加熱物を加熱する。
【００２９】
また、上記冷却ファン３は、ケーシング１内の背面側に配置された冷却ファン用モータ１６により冷却ファン３を駆動する。この冷却ファン３と、マグネトロン１３、高圧トランス１４および制御装置１５などとの間に複数の整風板(図示せず)を設けて、冷却ファン３からの吹出空気がマグネトロン１３、高圧トランス１４および制御装置１５などに略均等に当たるようにしている。
【００３０】
そして、上記前面パネル１０に設けられた排気口１２(図１に示す)から、冷却ファン３からの吹出空気をケーシング１外に排気する。
【００３１】
図４は上記加熱調理器の下側の要部の縦断面図を示している。図４に示すように、加熱室２内の底部に配置されたターンテーブル２０は、ローラステイ２１により回転自在に支持されている。このローラステイ２１は、中心部２１aから半径方向外向かつ周方向等間隔に延びる複数の延伸部２１bと、延伸部２１bの先端側に取り付けられたローラ２２とを有する。
【００３２】
上記ローラステイ２１の中心部２１aに、加熱室２の下側に配置されたターンテーブル用モータ２３の駆動軸２３aの先端が固定されている。ターンテーブル用モータ２３の駆動軸２３aは、加熱室２の底板２bを貫通している。このターンテーブル用モータ２３は、モータ取付板２４を介して加熱室２の底板２bに固定されている。また、ケーシング１の底板１aは、上方に向かって凹んだ凹部３０を設け、その凹部３０の中央に穴３０aを形成している。凹部３０の中央に穴３０aからターンテーブル用モータ２３とモータ取付板２４の一部が下側に突出している。これにより、ターンテーブル用モータ２３は、加熱室２の下側かつケーシング１の下側に配置される。また、このケーシング１の底板１aに設けられた穴３０aの内縁部分と加熱室２の底板２bとの間に耐熱ゴム性のパッキン３１を配置している。
【００３３】
また、ケーシング１の底板１aの凹部３０およびターンテーブル用モータ２３を覆うように、ケーシング１の底板１aにガイドカバー２５を取り付けている。ここで、ガイドカバー２５は、上側に開口を有する箱形としたが、ガイドカバーの形状はこれに限らず、ターンテーブル用モータを保護すると共に、冷却ファンによりケーシングの前面側から吸い込まれた空気の一部をターンテーブル用モータの冷却に用いた後、ケーシングの後面側にスムーズに案内できものであればよい。
【００３４】
上記構成の加熱調理器によれば、図２に示すように、前面側に開口１００aを有するビルトイン収納部１００内にケーシング１が収納された状態において、冷却ファン３によりケーシング１の前面側から吸い込まれた空気の一部または全部が、ケーシング１の底板１aとビルトイン収納部１００の底面との間の空間を介してケーシング１内に供給される。このとき、冷却ファン３により吸い込まれた空気がケーシング１の底板１aとビルトイン収納部１００の底面との間の空間を通過することにより、加熱室２の下側かつケーシング１の下側に配置されたターンテーブル用モータ２３が冷却される。
【００３５】
これに対して、図５は従来の加熱調理器の要部の縦断面図を示しており、ターンテーブル用モータ１２３は、加熱室１０２の底板１０２bかつケーシング１０１の底板１０１aとの間のケーシング１０１内に配置されているため、ターンテーブル用モータ１２３に高温仕様のモータを用いたり、ターンテーブル用モータ１２３を冷却するために別に冷却用のダクトを追加したりする熱対策を行わなければならない。図５において、１２０ターンテーブルは、１２１はローラステイ、１２４はモータ取付板である。
【００３６】
したがって、上記実施の形態の加熱調理器によれば、高温仕様のモータを用いたり冷却用のダクトを追加したりすることなく、安価な汎用のモータを用いることができ、簡単な構成により低コストでターンテーブル用モータ２３を効果的に冷却することができ、ターンテーブル用モータ２３の信頼性を向上できる。
【００３７】
また、上記ケーシング１がビルトイン収納部１００に収納された状態において、ケーシング１の背面側に配置された冷却ファン３によって、ケーシング１の前面側から吸い込まれた空気の一部は、ケーシング１の下面とビルトイン収納部１００の底面との間の空間を介してケーシング１の背面とビルトイン収納部１００の背面との間の空間に流れた後、ケーシング１の背面側の冷却ファン３により吸い込まれてケーシング１内に供給される。したがって、ケーシング１とビルトイン収納部１００の壁面との間の空間を利用して、ターンテーブル用モータ２３を冷却した後の空気がケーシング１内に供給されて、ケーシング１内の発熱部を冷却することができ、ターンテーブル用モータ２３の冷却とケーシング１内の発熱部の冷却の両方に冷却ファン３を兼用できる。
【００３８】
また、上記ケーシング１の底部にターンテーブル用モータ２３を覆うように取り付けられたガイドカバー２５によって、ターンテーブル用モータ２３を保護すると共に、冷却ファン３によりケーシング１の前面側から吸い込まれた空気の一部をターンテーブル用モータ２３の冷却に用いた後、ケーシング１の後面側にスムーズに案内できる。
【００３９】
また、上記冷却ファン３によってケーシング１内に供給された空気は、ケーシング１内を通ってケーシング１の前面側に設けられた排気口１２から前方に吹き出すので、ビルトイン収納部１００に収納された状態でも、冷却ファン３による吸い込みから吹き出しまでの経路が形成されて、スムーズな空気の流れにより冷却効率が向上する。
【００４０】
上記実施の形態では、ビルトイン収納部１００に収納された加熱調理器について説明したが、これに限らず、専用の収納ボックスなどをビルトイン収納部として用いて収納される加熱調理器にこの発明を適用してもよい。
【００４１】
この発明の具体的な実施の形態について説明したが、この発明は上記実施の形態に限定されるものではなく、この発明の範囲内で種々変更して実施することができる。
【符号の説明】
【００４２】
１…ケーシング
２…加熱室
２a…開口部
３…冷却ファン
４…ホルダ
５…基板
６…扉
７…脚部
１０…前面パネル
１１…表示操作部
１２…排気口
１３…マグネトロン
１４…高圧トランス
１５…制御装置
１６…冷却ファン用モータ
１８…導波管
２０…ターンテーブル
２１…ローラステイ
２２…ローラ
２３…ターンテーブル用モータ
２４…モータ取付板
２５…ガイドカバー
１００…ビルトイン収納部
１００a…開口
【図１】
2013096598.tif 000003
【図２】
2013096598.tif 000004
【図３】
2013096598.tif 000005
【図４】
2013096598.tif 000006
【図５】
2013096598.tif 000007